(57)【要約】【目的】　ヒトの体重を代表とし、統計学的母集団データが既知である変量でさえあれば、その分布を正規分布に見立てた上で、入力された同変量の度数分布における位置付けを視覚的にコンピュータ表示により実感できる様にする為。【構成】　ヒトの体重についての本表示を例、及び選択図として説明する。コンピュータディスプレーで画面に大及び小の正規曲線を描出した上に入力体重に対応した標準単位位置の縦線ｃを書き込み、曲線上同縦線の頂部にマークＢＷを施して入力値の位置を表示する。又、大の曲線には基準となる母百分率位として（ａ）〜（ｅ）といった縦線、そして、小の曲線においては、中央より入力体重対応位置縦線ｃまでの面積を着色し、同面積割合に相当する累積度数概想値を同曲線下に表示する。これらにより同体重が、いわば正規化した度数分布上何処に位置しどの判定領域に属すかの視覚的且つ印象的理解が可能である。【選択図】　図２
2004109126.tif 000002
【特許請求の範囲】
【請求項１】
　統計学的母集団データが既知である変量について、入力された任意の値に対する標準単位の対応位置を、表示画面に描出された正規曲線上の横軸の位置として同曲線上に描出し、またー８０％。、ー５０％。、０％。、５０％。、８０％。等基準の母百分比での区切りを意味する中央線を始めとする縦線を複数本付記したコンピュータ表示システム。
【請求項２】
　表示画面に正規曲線を描出した上で入力変量値対応の横軸の位置に垂線を立てて、中央より同垂線までの領域を着色して区別する。そして、同着色部の正規曲線下面積片側分に対する面積比、即ち入力値対応位置までの母百分比、を連分数展開式等を用いて算出し「パーセンタイル概算（片側）」と称して、単位、％。を添えてこの区画の傍らに表記した請求項１記載のコンピュータ表示システム。
【請求項３】
　請求項１記載の様式を用いて、横軸にその標準単位の値に対応した体重値を、縦軸に度数値をとり、入力された性別、年齢及び身長におけるヒトの体重の度数分布を正規分布と見立てて同曲線を表示画面中央部に描いた上で、それに標準体重中央値、肥りぎみ及び痩せぎみ境界値、肥りすぎ及び痩せすぎ境界値に対応した縦線をそれぞれ描出し、その上に、入力体重値に対応した縦線を描き加え、その一端、正規曲線上の位置にマーク「ＢＷ」を配置した表示を為す。一方、同画面の一部にウインドウを設けて、その中に請求項２記載の表示を納める。以上、正規曲線を描出しての表示を行う体重の「正規化度数分布表示図」と名付ける請求項１、２記載のコンピュータ表示システム。
【発明の詳細な説明】
【発明の詳細な説明】
【産業上の利用分野】
【０００１】　本発明は、統計学的に正規分布に近い度数分布を表す変量で、その標本において少なくとも標準偏差値さえ求められている（統計学的分布や標本百分率が既知であれば、これらからも導かれる。尚、当然ながら標準偏差値が得られるには、通常同変量の平均値の得られていることは前提となる。）ものあれば、如何なる変量であっても適応できる、コンピュータディスプレーに正規分布曲線を描出することを基本にして表現したこれまでにないコンピュータ表示システムである。
【背景技術】
【０００２】　請求項１、２の存在してなかった従来の表計算ソフトを始めとする統計学的結果処理を実行するコンピュータシステムでは、正規曲線を交えた表示において、単に同曲線の描出と標準偏差の約２倍といった基準の値を横軸上に付記した参考程度の表示に留まっていた。
【発明が解決しようとする課題】
【０００３】　従来の統計学的結果を処理するコンピュータシステムでは、入力された変量が、正規曲線の上でどの様な位地付けにあるものかを頭の中にイメージして実感をもって認識することが困難であった。
【０００４】　本発明は、従来のこの種のコンピュータシステムでのグラフ様形式の表示における不足点を補う意味を有すものであり、入力変量が度数分布全体を正規分布化したと見立てた場合においてそのどこの位地付けにあるものかを実感をもって理解することを可能とし、特に、請求項３においては健康診断等にて肥満度についての指導を受ける側の者に、自己の体重の統計学的位置付けを実感させ肥満度についての理解を促そうとするものである。
【課題を解決するための手段】
【０００５】　上記目的を達成するために、本発明におけるコンピュータ表示システムを稼動するソフトウェアを完成した。
【作用】
【０００６】　当コンピュータシステムは、標準偏差等統計学上のデータが得られている変量について、その度数分布が正規分布を為したものと見立てた上で、入力された変量値がそのどこに位置するかを専用の表示図をもってディスプレーに描出し、視覚的に同値の統計学上の評価を実感することができる
【０００７】　請求項３記載の体重の「正規化度数分布表示図」は正規分布曲線を用いて描かれている。入力された体重値がどこに位置するのかを示すために，度数分布上その値に相当する白色の直線が垂直に描出され、同直線の頭端部ではマーク“ＢＷ”（Ｂｏｄｙ　Ｗｅｉｇｈｔ、体重を意味する。）が表示される。当然のことながら、入力した体重値が母百分比０％。である標準体重中央値、＋５０％。及びー５０％。である肥りぎみ及び痩せぎみ境界値、＋８０％及びー８０％である肥りすぎ及び痩せすぎ境界値を示す体重と一致した場合それぞれの値に対応して引かれた境界線に、入力体重を表した白色直線がぴたりと重なる結果となる。一方小ウィンドウでの表示では、統計学的分布論に基づいて、標準中央からの累積度数が、着色領域部面積比率として視覚的に捕らえることができて、入力体重の位置付けや肥満度を体重における人口分布と言う別の観点から理解することが可能となった。
【実施例】
【０００８】　実施例について図面を参照して説明する。なお、特許出願様式の関係から図面は殆どがモノクロのプリントアウト機能を用いてプリントアウトしたものを用いている。また、当図は、３０才代男性、身長１６５ｃｍの日本人を母集団とする標本を例として出力したものである。【０００９】　図２において、正規曲線を描いた上に統計学上の平均値に相当する中心線（ａ）、片側標本百分率５０％。（これは、標準単位絶対値約０．６７５に相当し、肥りぎみ、痩せぎみとの境界に当たる。）に対応する肥り側及び痩せ側境界縦線（ｃ）及び（ｂ）、同じく８０％。（これは、標準単位絶対値約１．２８２に相当し、肥り過ぎ、痩せ過ぎとの境界に当たる。）に対応する肥り側及び痩せ側境界縦線（ｅ）及び（ｄ）を設置した上で、入力体重値７３．１に対応して頭端に赤色で点滅する、矢印を伴えたマーク“ＢＷ”を付した縦線ｃが引かれ、この体重に対する正規分布を為したものと見立てた上での度数分布上の位地付けが視覚的に理解されると共に、同縦線が、肥りすぎ領域に存在することから、同体重に対する判定が「肥りすぎ」と結論されることが理解される。また、画面右上部の小ウィンドウｃ１内に描かれた正規曲線では、その中央縦線ｃ２より入力体重値対応縦線ｃ３までの領域ｃ４が、赤色に塗りつぶされており、左に表示されている大きな正規曲線の場合と同様に入力体重値対応縦線の頭端には、赤色で、矢印を伴えたマーク“ＢＷ”が点滅している。そして、この小ウィンドウの直下には、正規曲線下面積の半分に対する、その赤色塗りつぶし部面積の割合、即ち母百分率に相当する「パーセンタイル概算（片側）」として８６パーセンタイルが、表記されている。尚、その他の参考値も同画面内に表記されてくる。
【発明の効果】
　本発明は、上述のとおり構成されているので、次に記載する効果を奏する。
【００１０】　請求項１記載のコンピュータ表示システムにおいては、得られたデータで、表示対象とする変量に関して標準偏差値等統計学的母集団データを得ることができるものならばいかなる変量についても適応できるので、普遍性があってあらゆる分野に活用できる。尚、統計データの上で変量をχ、その平均値をｍ、標準偏差をσとしたとき、統計学上標準単位ｔ＝（χ−ｍ）／σと定義されていて、この関係を基本としてプログラミィングされており当システムが構成されている。
【００１１】　請求項３記載のコンピュータ表示システムにおいては、入力された性別、年齢階層及び身長における体重値の正規分布に見立てた位置付け、言うなれば度数である人口が正規分布を為すと見立てた際の人口内での位置付けが表示されており、統計学的にその山型人口のどこに入力された体重が存在するのかがわかり、度数分布の上での位置付けを視覚的に理解することが可能となる。図２の例では、入力された体重が、肥りすぎの値であることは言うまでもないが、同年齢階級、同身長の男性で平均的体重以上の体重を有す肥り側の人百人を任意に集めた場合、その理想である平均的体重、即ち正規曲線の中央縦線位に当たる人より８６人目の位置付けにある肥り具合であり、その人より肥満の人は同百人中１４人を残した程度の肥りすぎであることが実感として見てとれる。ちなみに、極端の肥満である元力士小錦関を例にすれば横軸を画面より飛び出して百人に一人よりも遥かに希な強度肥満であることが見てとれるし反対の痩せ側も勿論、全てのケースの体重の視覚的位置付け評価を容易に実感させるコンピュータ表示システムである。
【図面の簡単な説明】
【００１２】
【図１】　「身長−体重表示図」である。
【図２】　「正規化度数分布表示図」である。
【図３】　「人型表示図」である（性別男性、年齢４１才、身長１６３．７ｃｍ、体重７３．１ｋｇの入力例）。
【図４】　「人型表示図」である（性別女性、年齢２２才、身長１５２．０ｃｍ、体重４２．３ｋｇの入力例）。
【図５】　「体重計表示図」である。
【図６】　「体重経過表示図」である。
【図７】　「体脂肪表記図」である。
【図８】　「血圧表示図」である（収縮期血圧値１８６ｍｍＨｇ、拡張期血圧値９２ｍｍＨｇの入力例で、全血圧系表示の方）。
【図９】　「血圧表示図」である（収縮期血圧値８６ｍｍＨｇ、拡張期血圧値４６ｍｍＨｇの入力例で、低血圧系表示の方）。
【図１０】　「血圧経過図」である（折れ線グラフ形式のもの）。
【図１１】　「血圧経過図」である（棒グラフ形式のもの）。
【図１２】　「血圧表示図」におけるスケールアウト表示例の図である。
【図１３】　いわゆる、電子式の自動身長体重（体脂肪）測定機と当ソフトウェアにて作動するコンピュータ機器とが回路的に接続された図である。
【図１４】　「判定領域区分表示図」である。
【図１５】　「複数血圧プロット図」である。
【符号の説明】
ａ　垂直の直線
ｂ　小円
Ｃ　中心線
（ａ）　標準体重中央線
（ｂ）　痩せぎみ境界線
（ｃ）　肥りぎみ境界線
（ｄ）　痩せすぎ境界線
（ｅ）　肥りすぎ境界線
Ａ、Ａ１、Ａ２　「自分体」、「標準体」、「限界体」の各人型
Ａ１’、Ａ２’　点線表示の楕円
Ｂ１、Ｂ２　矢印
ｃ　“ＢＷ”を付した垂直線
ｃ１　小ウィンドウ
ｃ２　小正規曲線の中央垂線
ｃ３　小正規曲線の入力体重対応垂線
ｃ４　小正規曲線下でｃ２、ｃ３の囲む領域
Ｄ　『自分体』という文字
Ｅ　身長計
Ｆ、Ｆ１、Ｆ２、Ｆ３　体重計
Ｇ１、Ｇ２、Ｇ３、Ｇ４、Ｇ５　痩せすぎ、痩せぎみ、正常範囲、肥りぎみ、肥りすぎの各領域
Ｈ、ＨＳ、ＨＢ　体脂肪を表す曲線
ＨＭ　「体脂肪メータ」
ＨＪ　体脂肪率の判定領域区分を記した物差し
ＨＰ　入力体脂肪率を示した棒
Ｉ１、Ｉ２　縦軸、横軸に平行な直線
Ｊ　交差点
Ｋ　「スケールアウト」表示
Ｌ　電子式身長体重（体脂肪）測定機
Ｍ　回路（ケーブル）
Ｎ　コンピュータ機器
Ｏ　マーク「ＢＷ」
Ｐ　小円
ｉ、ｊ　小円内直線
（Ａ）　収縮期血圧要指導２−ａ境界直線
（Ｂ）　収縮期血圧要指導２−ｂ境界直線
（Ｃ）　収縮期血圧要医療３境界直線
（Ａ’）　拡張期血圧要指導２−ａ境界直線
（Ｂ’）　拡張期血圧要指導２−ｂ境界直線
（Ｃ’）　拡張期血圧要医療３境界直線
【図１】
2004109126.tif 000003
【図２】
2004109126.tif 000004
【図３】
2004109126.tif 000005
【図４】
2004109126.tif 000006
【図５】
2004109126.tif 000007
【図６】
2004109126.tif 000008
【図７】
2004109126.tif 000009
【図８】
2004109126.tif 000010
【図９】
2004109126.tif 000011
【図１０】
2004109126.tif 000012
【図１１】
2004109126.tif 000013
【図１２】
2004109126.tif 000014
【図１３】
2004109126.tif 000015
【図１４】
2004109126.tif 000016
【図１５】
2004109126.tif 000017